(57)【特許請求の範囲】
【請求項１】
ハウジングと、シール凹部を画成し前記ハウジングに結合するように構成されたシール保持具とを含む電気コネクタアセンブリ用の界面シールであって、
前記ハウジングを実質的に囲んで封止界面を形成するように構成された本体部分と、
前記本体部分に結合され、前記本体部分から延在する回転防止突出部であって、前記本体部分の内側に向かって第1の方向に延在する係合部分を含む、回転防止突出部と
を備え、
前記回転防止突出部は、前記シール凹部と協働して、前記ハウジングおよび前記シール保持具に対する前記界面シールの移動を阻止し、
前記係合部分は、タブおよび複数のフックを備え、前記タブは、前記シール保持具の第1の表面に係合するように構成され、前記複数のフックは、前記第1の表面とは異なる複数の第2の表面に係合するように構成され、
前記タブは、前記第1の方向とは異なる第2の方向に前記係合部分から延在し、前記複数のフックのうちの少なくとも1つのフックが、前記第1の方向および前記第2の方向とは異なる第3の方向に延在する、
界面シール。
【請求項２】
前記第3の方向は、前記第2の方向に対して実質的に直交である、請求項1に記載の界面シール。
【請求項３】
複数のリブが径方向外方に延在した外表面を含む、請求項1に記載の界面シール。
【請求項４】
前記回転防止突出部は、前記係合部分を前記本体部分に結合させ、前記第1の方向に対して実質的に直交する第2の方向に延在する接続部分をさらに含む、請求項1に記載の界面シール。
【請求項５】
ハウジングと、
前記ハウジングに結合され、シール凹部を画成するシール保持具と、
前記ハウジングと前記シール保持具との間に配置された界面シールであって、
前記ハウジングを実質的に囲んで封止界面を提供する本体部分、および
前記本体部分に結合され、前記本体部分から延在する回転防止突出部であって、前記シール凹部内に少なくとも部分的に配置されており、前記本体部分の内側に向かって第1の方向に延在する係合部分を含む、回転防止突出部
を備える、界面シールと
を備え、
前記回転防止突出部は、前記シール凹部と協働して、前記ハウジングおよび前記シール保持具に対する前記界面シールの移動を阻止し、
前記係合部分は、タブおよび複数のフックを備え、前記タブは、前記シール保持具の第1の表面に係合するように構成され、前記複数のフックは、前記第1の表面とは異なる複数の第2の表面に係合するように構成され、
前記タブは、前記第1の方向とは異なる第2の方向に前記係合部分から延在し、前記複数のフックのうちの少なくとも1つのフックが、前記第1の方向および前記第2の方向とは異なる第3の方向に延在する、
コネクタアセンブリ。
【請求項６】
前記第3の方向は、前記第2の方向に対して実質的に直交である、請求項5に記載のコネクタアセンブリ。
【請求項７】
前記シール凹部は、前記第1の表面および前記第2の表面を画定する、請求項5に記載のコネクタアセンブリ。
【請求項８】
前記回転防止突出部は、前記シール凹部と協働して、少なくとも2つの直交方向への前記界面シールの移動を阻止する、請求項5に記載のコネクタアセンブリ。
【請求項９】
前記回転防止突出部は、前記シール凹部と協働して、3つの直交方向への前記界面シールの移動を阻止する、請求項5に記載のコネクタアセンブリ。
【請求項１０】
前記界面シールは、複数のリブが径方向外方に延在した外表面を含む、請求項5に記載のコネクタアセンブリ。
【請求項１１】
前記回転防止突出部は、前記係合部分を前記本体部分に結合し、前記第1の方向に対して実質的に直交する第2の方向に延在する接続部分をさらに含む、請求項5に記載のコネクタアセンブリ。
【請求項１２】
ハウジング、前記ハウジングに結合され、シール凹部を画成するシール保持具、および電気端子の第1のセットを備える第1のコネクタアセンブリと、
前記第1のコネクタアセンブリに結合され、前記電気端子の第1のセットと電気的に連通する電気端子の第2のセットを含む第2のコネクタアセンブリと、
前記第1のコネクタアセンブリと前記第2のコネクタアセンブリとの間に配置された界面シールであって、
前記第1のコネクタアセンブリを実質的に囲んで封止界面を提供するように構成された本体部分、および
前記本体部分に結合され、前記本体部分から延在する回転防止突出部であって、前記本体部分の内側に向かって第1の方向に延在する係合部分を含む回転防止突出部
を備える、界面シールと
を備え、
前記回転防止突出部は、前記シール凹部と協働して、前記ハウジングおよび前記シール保持具に対する前記界面シールの移動を阻止し、
前記係合部分は、タブ及び複数のフックを備え、
前記タブは、前記シール保持具の第1の表面に係合するように構成されており、前記複数のフックは、前記第1の表面とは異なる複数の第2の表面に係合するように構成されており、
前記タブは、前記第1の方向とは異なる第2の方向に前記係合部分から延在し、前記複数のフックのうちの少なくとも1つのフックが、前記第1の方向および前記第2の方向とは異なる第3の方向に延在する、
電気コネクタアセンブリ。
【請求項１３】
前記回転防止突出部は、前記シール凹部と協働して、3つの直交方向への前記界面シールの移動を阻止する、請求項12に記載の電気コネクタアセンブリ。
【請求項１４】
前記界面シールは、複数のリブが径方向外方に延在した外表面を含む、請求項12に記載の電気コネクタアセンブリ。
【発明の詳細な説明】
【技術分野】
【０００１】
本開示は、コネクタに関し、より詳細には、電気コネクタ用のシールに関する。
【背景技術】
【０００２】
本明細書において示される背景の説明は、本開示のコンテクストを大まかに提示することを目的とする。この背景の章に記載される範囲における本発明者らの功績、および出願の時点では先行技術と見なされない本説明の態様は、本開示に対する先行技術として明示的にもまたは黙示的にも自認されるものではない。
【０００３】
電気コネクタは、プリント回路基板、別のコネクタ、または電気モジュールを含むがこれらに限定されない様々な種々の構造物に対して複数の電線を接続するために使用され得る。典型的には、電気コネクタは、共に結合される第1のコネクタと第2のコネクタとを有する。第1のコネクタは、プリント回路基板またはモジュールに貫入する複数のピンまたは端子を含み、第2のコネクタは、ピンとの接続のための複数の電線を有し得る。
【０００４】
界面シールが、結合されたコネクタ間の接合部を封止するために使用され得るが、いくつかの界面シールは、取扱いおよび組立ての最中にシールが誤って接触されまたは挟まれた場合に、容易に回転され得る。したがって、回転防止機能を有する界面シールを提供することが望ましい。
【発明の概要】
【課題を解決するための手段】
【０００５】
本開示の様々な実施形態において、ハウジングと、シール凹部を画成しハウジングに結合するように構成されたシール保持具とを含む電気コネクタアセンブリ用の界面シールが開示される。この界面シールは、ハウジングを実質的に囲んで封止界面を形成するように構成された本体部分と、本体部分に結合され、本体部分から延在する回転防止突出部とを含む。回転防止突出部は、第1の方向に延在する係合部分を含む。回転防止突出部は、シール凹部と協働して、ハウジングおよびシール保持具に対する界面シールの移動を阻止する。
【０００６】
本開示の様々な実施形態では、コネクタアセンブリが開示される。コネクタアセンブリは、ハウジングと、ハウジングに結合され、シール凹部を画成するシール保持具と、ハウジングとシール保持具との間に配置された界面シールとを含む。界面シールは、ハウジングを実質的に囲んで封止界面を提供する本体部分、および本体部分に結合され、本体部分から延在する回転防止突出部を含む。回転防止突出部は、シール凹部内に少なくとも部分的に配置されており、第1の方向に延在する係合部分を含む。回転防止突出部は、シール凹部と協働して、ハウジングおよびシール保持具に対する界面シールの移動を阻止する。
【０００７】
本開示の様々な実施形態において、電気コネクタアセンブリが開示される。電気コネクタアセンブリは、第1のコネクタアセンブリと、第2のコネクタアセンブリと、界面シールとを含む。第1のコネクタアセンブリは、ハウジング、ハウジングに結合され、シール凹部を画成するシール保持具、および電気端子の第1のセットを含む。第2のコネクタアセンブリは、第1のコネクタアセンブリに結合され、電気端子の第1のセットと電気的に連通する電気端子の第2のセットを含む。界面シールは、第1のコネクタアセンブリと第2のコネクタアセンブリとの間に配置され、第1のコネクタハウジングを実質的に囲んで封止界面を提供するように構成された本体部分、および本体部分に結合され、本体部分から延在する回転防止突出部を含む。回転防止突出部は、第1の方向に延在する係合部分を含む。回転防止突出部は、シール凹部と協働して、ハウジングおよびシール保持具に対する界面シールの移動を阻止する。
【０００８】
本開示のさらなる適用可能分野が、以降で示される詳細な説明から明らかになるであろう。詳細な説明および具体的な例は、専ら例示を目的として意図されたものであり、本開示の範囲を限定するようには意図されない点を理解されたい。
【０００９】
本開示は、詳細な説明および添付の図面から、より十分に理解されるであろう。
【図面の簡単な説明】
【００１０】
【図１】本開示のいくつかの実装形態による界面シールを含む一例のコネクタアセンブリの斜視図である。
【図２】図1の例の界面シールの斜視図である。
【図３】図2に示す界面シールの拡大斜視図である。
【図４】図1の界面シールおよびコネクタアセンブリの別の拡大斜視図である。
【図５】図1の界面シールおよびコネクタアセンブリのさらに別の斜視図である。
【図６】図5に示す、線6-6に沿ったコネクタアセンブリの断面図である。
【図７】図5に示す、線7-7に沿ったコネクタアセンブリの断面図である。
【発明を実施するための形態】
【００１１】
図1は、ハウジング12、界面シール14、およびシール保持具またはカバー16を一般的に含む一例の電気コネクタアセンブリ10を示す。電気コネクタアセンブリ10は、別のコネクタ、プリント回路基板、または電線(図示せず)などの電気構成要素に結合するように構成される。いくつかの実施形態では、電気コネクタアセンブリ10は、車両(図示せず)用の電気コネクタアセンブリとして構成されるが、コネクタアセンブリ10および特に界面シール14は、モジュール用のヘッダなどの様々な他のシステムおよび構成要素に使用することができる。
【００１２】
図示する実施形態では、ハウジング12が、高温および/または化学曝露の環境において弾性を有するように選択された剛性材料(例えば金属またはプラスチック)から形成された単体構造体であることが可能である。ハウジング12は、嵌合軸または長手方向軸18に沿って延在し、この軸は、コネクタアセンブリ10が、電気端子のセット13を有するコネクタアセンブリ11などの1つまたは複数の他のコネクタまたはコネクタアセンブリと嵌合するために移動可能な方向に沿った軸である。図示する実施形態では、嵌合方向20は、嵌合軸18に沿うものであり、相互接続された場合にコネクタアセンブリ10が1つまたは複数の他のコネクタまたはコネクタアセンブリに対して移動する方向であってもよい。係合解除方向22は、嵌合軸18に沿うものであって、嵌合方向20とは反対であり、係合解除方向22は、離間される場合にコネクタアセンブリ10が1つまたは複数の他のコネクタまたはコネクタアセンブリに対して移動する方向とすることが可能である。
【００１３】
図示する実施形態では、ハウジング12は、外方支持表面24および複数の空洞26を含み、各空洞26は、1つまたは複数の電線、端子、または他のタイプの接続部28を収容するように構成される。図4および図6に示すように、支持表面24は、シール受け表面30、シール係合ショルダ32、回転防止特徴開口部34(図4)、および回転防止特徴係合表面36を画定する。
【００１４】
図2および図3を参照すると、界面シール14は、本体部分40と、そこから延在する1つまたは複数の回転防止突出部42とを一般的に含み得る。界面シール14は、コネクタアセンブリ10と1つまたは複数の他のコネクタまたはコネクタアセンブリとの間の封止構成を助長するように構成される。回転防止突出部42は、界面シール14の摺動、回転、または抜けを阻止することにより、ハウジング12上の組立て位置にシールを保持するように構成される。
【００１５】
図2に示すように、界面シール14は、ほぼトラック形状である。しかし、界面シール14は、様々な形状のコネクタアセンブリと共に界面シールを使用することを可能にする任意の適切な形状を有してもよい。例えば、界面シール14は、円形または矩形であってもよい。図示する実施形態では、界面シール14は、界面シール14の両側部上にほぼ配設された2つの回転防止突出部42を含むが、界面シール14は、界面シール14の外周部またはエッジの周囲の様々な位置に任意の適切な個数(1つまたは3つ)の回転防止特徴部を有してもよい。界面シール14は、エラストマー材料、ゴム、およびプラスチック等の、界面シール14に封止界面を形成させ得るおよび他の場合には本明細書で説明されるように機能させ得る任意の適切な材料から製造され得る。
【００１６】
図6をさらに参照すると、界面シール本体部分40が、内方表面44、外表面46、第1のエッジ48、および対向側の第2のエッジ50を含む。内方表面44は、ハウジング12のシール受け表面30の上にまたはそれに沿って配設されるように構成される。図示する実施形態では、シール14は、内方表面44が表面30と摩擦係合するように、またはハウジング12および/またはシール保持具16との摩擦嵌めを他の方法で形成するように、シール受け表面30と同等にまたはそれよりも若干小さくサイズ設定される。外表面46は、例えばアセンブリ11などの別のコネクタアセンブリとの間に封止界面および/または追加の摩擦係合をもたらすように構成された、径方向外方に延在した複数のバンプまたはリブ52を含む。追加的にはまたは代替的には、内方表面44などの他の表面が、1つまたは複数のバンプまたはリブ(図示せず)を含み得る。第1のエッジ48は、ハウジング12のシール係合ショルダ32に係合するか、その近傍に配設される。
【００１７】
さらに図3を参照すると、この例の界面シール回転防止突出部42は、接続部分60および係合部分62を含むことが可能である。接続部分60は、本体部分の第2のエッジ50と係合部分62との間で結合され、シール本体部分40および嵌合方向20の軸18に対して平行または実質的に平行に延在する。他の実施形態では、係合部分62は、界面シール回転防止突出部42が図示するような接続部分60を含まないように、シール本体部分40に直接的に結合される。
【００１８】
係合部分62は、近位端部64、遠位端部66、第1の回転防止部材またはタブ68、および第2の回転防止部材またはフック70を一般的に含む。近位端部64は、係合部分62がシール本体部分40および軸18に対して垂直またはほぼ垂直に延在するように、接続部分60に結合される。係合部分62は、端部表面72、側部表面74、外表面76、および内方表面78をさらに画定する。図6に示すように、内方表面78は、回転防止特徴係合表面36に係合するか、またはその近傍に配設される。
【００１９】
図3および図4に示すように、回転防止タブ68は、ほぼ矩形の断面を有し、嵌合方向20に対して平行または実質的に平行な方向に係合部分外表面76から外方へと延在する。回転防止タブ68は、本明細書でより詳細に説明されるように、上方係合表面80、外方係合表面81、およびカバー16に係合するように構成された側部係合表面82を画定する。他の実施形態では、タブ68は、回転防止タブ68を本明細書に記載されるように機能させ得る任意の適切な断面形状を有し得る。例えば、回転防止タブ68は、円形または矩形の断面形状を有してもよい。
【００２０】
回転防止フック70は、ほぼ矩形の断面を有し、シール本体部分40に対して平行または実質的に平行なおよび軸18に対して垂直または実質的に垂直な係合部分側部表面から外方に延在する。回転防止フック70はそれぞれ、本明細書でより詳細に説明されるようにカバー16に係合するように構成された側方係合表面84を画定する。他の実施形態では、フック70は、回転防止フック70を本明細書に記載されるように機能させ得る任意の適切な断面形状を有し得る。例えば、回転防止フック70は、円形または矩形の断面形状を有してもよい。
【００２１】
図5〜図7を参照すると、シール保持具またはカバー16は、界面シール14がハウジング12とシール保持具16との間に配置されるように、ハウジング12に対して取外し可能に結合するように構成される。シール保持具16は、第1のシール凹部86と、その中に形成された第2のシール凹部88とを含み、これらは、ハウジング12の近傍に配設され、界面シール係合部分62の少なくとも一部分を受けるように構成される。他の実施形態では、カバー16およびハウジング12は、取外し不能に結合されてもよい。
【００２２】
第1のシール凹部86は、上方係合壁部90(図6)、内方係合壁部92、および側方係合壁部94により少なくとも部分的に画成される(図7)。第2のシール凹部88は、図7において最も良く示すように第1のシール凹部86に隣接して接続および配設される。第2のシール凹部88は、上方内方壁部96(図5および図6)および側方係合壁部98(図5および図7)により少なくとも部分的に画成される。
【００２３】
動作時に、界面シール14は、ハウジング12の周囲に配設され、回転防止突出部42がハウジング12および/またはカバー16に係合して界面シール14の回転または他の移動を阻止するように構成されるように位置決めされる。特に、界面シール14は、シール回転防止突出部42が回転防止特徴開口部34内に少なくとも部分的に配設されるように、ハウジング外方支持表面24の周囲に位置決めされる(図4を参照)。そのため、シール内方表面44は、シール受け表面30に摩擦係合するかまたはその近傍に位置し、第1のエッジ48は、シール係合ショルダ32に摩擦係合するかまたはその近傍に位置し(例えば図6を参照)、係合部分内方表面78は、回転防止特徴係合表面36に摩擦係合するかまたはその近傍に位置する。
【００２４】
シール保持具またはカバー16は、ハウジング12の少なくとも一部分の中または周囲に配設され、シール回転防止突出部42が第1のシール凹部86および第2のシール凹部88の中に少なくとも部分的に配設されるように位置決めされる。そのため、回転防止タブ68は、上方係合表面80が上方係合壁部90に摩擦係合するかまたはその近傍に位置し(図6を参照)、外方係合表面81が内方係合壁部92に摩擦係合するかまたはその近傍に位置し、側方係合表面82が側方係合壁部94に摩擦係合するかまたはその近傍に位置するように、第1のシール凹部86内に少なくとも部分的に配設される(図7を参照)。
【００２５】
さらに、回転防止フック70は、側方係合表面84が側方係合壁部98に摩擦係合するかまたはその近傍に位置するように、第2のシール凹部88内に少なくとも部分的に配設される(図7を参照)。
【００２６】
したがって、ハウジング12、界面シール14、およびカバー16のアセンブリは、直交するx、yおよびz方向における界面シール14の回転または移動を阻止する(図5〜図7を参照)。特に、側方係合壁部94、98は、側方係合表面82、84にそれぞれ係合して+/-x方向への界面シール14の移動を阻止するように位置決めおよび構成される(図7を参照)。同様に、内方係合壁部92および回転防止特徴係合表面36は、外方係合表面81および内方表面78にそれぞれ係合して+/-y方向への界面シール14の移動を阻止するように位置決めおよび構成される(図6および図7を参照)。さらに図6に示すように、上方係合壁部90は、上方係合表面に係合してz方向への界面シールの移動を阻止するように位置決めおよび構成される。
【００２７】
本明細書においては、取扱いおよび組立ての最中に界面シールの複数方向への移動および/または回転を防止するためのシステムおよび方法が説明される。電気コネクタアセンブリは、ハウジング、界面シール、およびシール保持具またはカバーを含む。界面シールは、ハウジング上に配設され、カバーは、シールを定位置に保持する。界面シールは、タブおよびフックなどの複数方向回転防止突出部を含み、これらは、コネクタアセンブリハウジング上の載置位置からの界面シールの摺動、回転、または抜け(例えば引き抜け)の防止を助長する。これらの特徴部は、カバーとの間に追加的な表面積接触をもたらし、これによりそれらの間に追加的な摩擦力が生じる。したがって、界面シールは、定位置に固定的に保持され、不慮のシール位置合わせ不良を防止することにより適切な封止性能を実現する。
【００２８】
例示の実施形態は、本開示が十分なものとなり、当業者にその範囲を十分に伝えるものとなるように提示される。本開示の実施形態の十分な理解を促すために、具体的な構成要素、デバイス、および方法の例などの多数の具体的詳細が示される。具体的詳細は使用される必要はなく、例示の実施形態は多数の異なる形態で具現化されてもよく、いずれも本開示の範囲を限定するものと見なされるべきではない点が当業者に明らかとなるであろう。いくつかの例示の実施形態では、周知の手順、周知のデバイス構造、および周知の技術は、詳細には説明されない。
【００２９】
本明細書で使用される専門用語は、特定の例示の実施形態のみを説明することを目的とするものであり、限定的になることを意図されない。本明細書において、単数形「1つの(a、an)」および「その(the)」は、文脈が明確に他のことを示唆しない限り、複数形をも含むように意図される。用語「および/または」は、関連して列挙された項目のうちの1つもしくは複数のいずれかまたは全ての組合せを含む。「備える(comprises、comprising)」、「含む(including)」、および「有する(having)」という用語は、包括的であり、したがって述べられた特徴、整数、ステップ、動作、要素、および/または構成要素の存在を特定するが、1つまたは複数の他の特徴、整数、ステップ、動作、要素、構成要素、および/またはそれらの群の存在または追加を排除するものではない。本明細書で説明される方法ステップ、プロセス、および動作は、実施順序として具体的に特定されない限りは、論じられたまたは図示された特定の順序でそれらが実施されることを必ずしも必要とするように解釈されるべきではない。また、追加または代替のステップが利用されてもよい点を理解されたい。
【００３０】
第1の、第2の、第3の等の用語が、様々な要素、構成要素、領域、層、および/またはセクションを説明するために使用される場合があるが、これらの要素、構成要素、領域、層、および/またはセクションは、これらの用語によって限定されるべきではない。これらの用語は、ある要素、構成要素、領域、層、またはセクションを別の領域、層、またはセクションから区別するためにのみ使用され得る。本明細書で使用される場合に、「第1の」、「第2の」、および他の数値用語などの用語は、文脈により明確に示されない限り順番または順序を示唆しない。したがって、以下で論じる第1の要素、構成要素、領域、層、またはセクションは、例示の実施形態の教示から逸脱することなく第2の要素、構成要素、領域、層、またはセクションと呼ぶことが可能である。
【００３１】
これらの実施形態の前述の説明は、例示および説明を目的として提示された。これは、包括的となるように、または本開示を限定するように意図されるものではない。特定の実施形態の個別の要素または特徴は、一般的にはその特定の実施形態に限定されず、該当する場合には、具体的に図示または説明されない場合でも互換的なものであり、選択された実施形態で使用され得る。また、これは、多数の方法で変更されてもよい。かかる変更は、本開示からの逸脱と見なされるべきではなく、全てのかかる修正は、本開示の範囲内に含まれるように意図される。
【符号の説明】
【００３２】
10  電気コネクタアセンブリ
11  コネクタアセンブリ
12  ハウジング
13  電気端子セット
14  界面シール
16  シール保持具またはカバー
18  嵌合軸
20  嵌合方向
22  係合解除方向
24  外方支持表面
26  空洞
28  接続部
30  シール受け表面
32  シール係合ショルダ
34  回転防止特徴開口部
36  回転防止特徴係合表面
40  本体部分
42  回転防止突出部
44  内方表面
46  外表面
48  第1のエッジ
50  第2のエッジ
52  バンプまたはリブ
60  接続部分
62  係合部分
64  近位端部
66  遠位端部
68  第1の回転防止部材またはタブ
70  第2の回転防止部材またはフック
72  端部表面
74  側部表面
76  外表面
78  内方表面
80  上方係合表面
81  外方係合表面
82  側部係合表面
84  側方係合表面
86  第1のシール凹部
88  第2のシール凹部
90  上方係合壁部
92  内方係合壁部
94  側方係合壁部
96  上方内方壁部
98  側方係合壁部
【図１】
0006438447.tif 000002
【図２】
0006438447.tif 000003
【図３】
0006438447.tif 000004
【図４】
0006438447.tif 000005
【図５】
0006438447.tif 000006
【図６】
0006438447.tif 000007
【図７】
0006438447.tif 000008